(57)【要約】      （修正有）【課題】予備ステップと識別情報確認のための現ステップと含む、通信端末（ＴＥＲ）のユーザーの識別情報を確認するための方法を提供する。【解決手段】予備ステップは、サーバー（ＳＥＲ）にユーザーの識別データの第１の部分を伝達すること、サーバーからユーザーの識別データの第２の部分を生成し、データの第２の部分はユーザーの導出された識別情報を定義すること、および端末の安全なメモリーに識別データの第２の部分を保存すること、を含む。識別情報確認のための現ステップは、サーバーから端末へ、暗号化のためのトークン（Ｃ）を送信すること、トークンの暗号化を生成するために、端末でデータの第２の部分を使用し、暗号化されたトークン（Ｃ＊）はサーバーに送信され、サーバーによって確認されること、およびサーバーによって暗号化されたトークンが肯定的に確認される場合、サーバーは端末のユーザーの識別情報の確認を有効にすること、を含む。【選択図】図２
2018038068.tif 000002
【特許請求の範囲】
【請求項１】
通信端末（ＴＥＲ）のユーザーの識別情報を確認するための方法であって、該方法が予備ステップと識別情報確認のための現ステップとを含み、
＊予備ステップが、
少なくとも１つのサーバー（ＳＥＲ）にユーザー（Ｓ１０）の識別データの第１の部分（Ｉｄ１）を伝達すること、
サーバーで、ユーザー（Ｓ１１）の識別データの第２の部分（Ｉｄ２）を生成し、データの第２の部分がユーザーの導出された識別情報を定義すること、
端末（Ｓ１２）の安全なメモリー（ＳＩＭ）に識別データの第２の部分（Ｉｄ２）の保存を含み、
＊識別情報確認のための現ステップが、
サーバーから端末へ、暗号化（Ｓ２１）のためのトークン（Ｃ）を送信すること、
少なくともトークンの暗号化を生成（Ｓ２３）するために、端末でデータの第２の部分を使用し、暗号化されたトークン（Ｃ＊）がサーバーに送信され、サーバーによって確認されること（Ｓ２５）、
サーバーによって暗号化されたトークンが肯定的に確認される場合、サーバーが端末のユーザーの識別情報の確認を有効にすることを含む、方法。
【請求項２】
暗号化が公開キー基盤を使用し、暗号化キーを生成するために導出された識別データ（Ｉｄ２）が少なくとも使用される、請求項１に記載の方法。
【請求項３】
導出された識別データ（Ｉｄ２）が端末による暗号化を証明するデジタル証明書である、請求項１に記載の方法。
【請求項４】
肯定的に確認される場合、暗号化されたトークンがユーザーのデジタル識別証明書と関連付けられる、請求項１から３のいずれか一項に記載の方法。
【請求項５】
サーバーへのユーザーの識別データの第１の部分（Ｉｄ１）の前記通信が端末のユーザーの生体データの確認（Ｓ１３）後に許可される、請求項１から４のいずれか一項に記載の方法。
【請求項６】
現ステップが、端末でトークンの暗号化のためのデータの第２の部分の使用を開始する前に、ユーザー固有のデータの確認（Ｓ２２）が含まれる、請求項１から５のいずれか一項に記載の方法。
【請求項７】
複数のサーバーへのユーザーの識別データの第１の部分の複数の通信を含む、複数の予備ステップが提供される場合、各サーバーがユーザーの識別データのそれぞれ第２の部分を生成し、データの各第２の部分がユーザーの導出された識別情報を定義し、各導出された識別情報が、アクセスがサービス専用のサーバーで暗号化されたトークンの確認に応じて異なる前記サービスに固有のものである、請求項１から６のいずれか一項に記載の方法。
【請求項８】
サーバー（ＳＥＲ）への識別データの第１の部分（Ｉｄ１）の通信が短距離（ＮＦＣ）または有線通信のためのモジュールを備えるリーダー（ＬＥＣ）、および対応する短距離または有線通信のためのモジュールを備える端末を介して実行され、データの第２の部分（Ｉｄ２）が、短距離または有線通信によって、サーバーからリーダーに送信され、次いで、リーダーから端末に送信される、請求項１から７のいずれか一項に記載の方法。
【請求項９】
サーバーと端末間の、暗号化のためのトークン（Ｃ）および／または暗号化されたトークン（Ｃ＊）の送信がサーバー（ＳＥＲ）に関連付けられたサービスへのアクセスを要求するデバイス（ＰＣ）を介して行われ、サービスへのアクセスが前記現ステップのユーザーの端末からのユーザーの識別情報の確認によって異なる、請求項１から８のいずれか一項に記載の方法。
【請求項１０】
端末（ＴＥＲ）とデバイス（ＰＣ）間の、暗号化のためのトークン（Ｃ）および／または暗号化されたトークン（Ｃ＊）の送信が短距離（ＮＦＣ）または有線通信によって行われ、端末（ＴＥＲ）が短距離（ＮＦＣ）または有線通信のためのモジュールを備え、デバイス（ＰＣ）が対応する短距離または有線通信のためのモジュールを備える、請求項９に記載の方法。
【請求項１１】
サーバー（ＳＥＲ）から端末（ＴＥＲ）への、暗号化のためのトークン（Ｃ）の送信が、モバイルネットワークを使用して行われ、端末からサーバーへの暗号化されたトークン（Ｃ＊）の送信がサーバー（ＳＥＲ）に関連付けられたサービスへのアクセスを要求するデバイス（ＰＣ）を介して行われ、サービスへのアクセスが前記現ステップのユーザーの端末からのユーザーの識別情報の確認に応じて異なる、請求項１から８のいずれか一項に記載の方法。
【請求項１２】
サーバー（ＳＥＲ）から端末（ＴＥＲ）への、暗号化のためのトークン（Ｃ）の送信が、サーバー（ＳＥＲ）に関連付けられたサービスへのアクセスを要求するデバイス（ＰＣ）を介して行われ、端末からサーバーへの暗号化されたトークン（Ｃ＊）の送信が、モバイルネットワークを使用して行われ、サービスへのアクセスが前記現ステップのユーザーの端末からのユーザーの識別情報の確認に応じて異なる、請求項１から８のいずれか一項に記載の方法。
【請求項１３】
請求項１から１２のいずれか一項に記載の方法を実行するために、少なくとも１つの端末（ＴＥＲ）および１つのサーバー（ＳＥＲ）を備える、ユーザーの識別情報を確認するためのシステム。
【発明の詳細な説明】
【技術分野】
【０００１】
本発明は、ユーザーの通信端末（特に、モバイル端末）から、ユーザーの識別情報を確認することによって、サービスへのアクセスおよび／または加入を判定することに関する。
【背景技術】
【０００２】
「識別情報」の概念は、モバイル環境で普及し、日常的なものになっている。しかし、デジタルの識別情報は、すべての形の盗用から保護されると同時に、所有者が使用するために、人間工学的なものである必要がある。
【発明の概要】
【発明が解決しようとする課題】
【０００３】
知られている解決策（ＯＴＰ（Ｏｎｅ  Ｔｉｍｅ  Ｐａｓｓｗｏｒｄ（ワンタイムパスワード））、ＳＳＯ（Ｓｉｎｇｌｅ  Ｓｉｇｎ  Ｏｎ（シングルサインオン））、ＳＭＳ（Ｓｈｏｒｔ  Ｍｅｓｓａｇｅ  Ｓｅｒｖｉｃｅ（ショートメッセージサービス）、ＯｐｅｎＩＤを使用する解決策など）はすべて、ユーザー属性の管理に関連付けられたプロセスまたはネットワーク識別名（電話番号など）のログイン／パスワードタイプに基づいており、必ずしも十分に満足できるものではない。
【課題を解決するための手段】
【０００４】
本発明は解決策を提案する。特に本発明では、予備ステップと識別情報確認のための現ステップとを含む、通信端末のユーザーの識別情報を確認するための方法を提案する：
＊予備ステップは：
少なくとも１つのサーバーにユーザーの識別データの第１の部分を伝達すること、
サーバーで、ユーザーの識別データの第２の部分を生成し、データの第２の部分はユーザーの導出された識別情報を定義すること、および
端末の安全なメモリーに識別データの第２の部分を保存することを含み、
＊識別情報確認のための現ステップは：
サーバーから端末へ、暗号化のためのトークンを送信すること、
少なくともトークンの暗号化を生成するために、端末でデータの第２の部分を使用し、暗号化されたトークンはサーバーに送信され、サーバーによって確認されること、および
サーバーによって暗号化されたトークンが肯定的に確認される場合、サーバーは端末のユーザーの識別情報の確認を有効にすることを含む。
【０００５】
したがって、通信端末（電話、タブレット、スマートフォン）は、認証された識別情報の結果として導出された識別情報と関連付けられている場合、（特に、強力な認証によって）権限の妥当性確認を円滑化する接続済み媒体およびトランザクションのローカルまたはリモート当事者とセキュリティーデータを共有することになる。
【０００６】
実施形態に応じて、本発明の方法は次の特徴の１つ以上を有することができる：
暗号化は公開キー基盤を使用し、暗号化キーを生成するために導出された識別データが少なくとも使用される、
導出された識別データは端末によって暗号化を証明するデジタル証明書である、
肯定的な確認の場合、暗号化されたトークンはユーザーのデジタル識別証明書と関連付けられる、
サーバーへのユーザーの識別データの第１部分の通信は、端末のユーザーの生体データの確認後に許可される、
現ステップには、端末でトークンの暗号化のためのデータの第２の部分の使用を開始する前に、ユーザー固有のデータの確認が含まれる、
複数のサーバーへのユーザーの識別データの第１の部分の複数の通信を含む、複数の予備ステップが提供される場合、各サーバーはユーザーの識別データのそれぞれ第２の部分を生成し、データの各第２の部分はユーザーの導出された識別情報を定義し、各導出された識別情報は、アクセスが前記サービス専用のサーバーで暗号化されたトークンの確認に応じて異なる前記サービスに固有のものである、
サーバーへの識別データの第１の部分の通信は短距離または有線通信のためのモジュールを備えるリーダーを介して実行され、端末が対応する短距離または有線通信のためのモジュールを備えるので、データの第２の部分は、短距離または有線通信によって、サーバーからリーダーに送信され、次いで、リーダーから端末に送信される、
サーバーと端末間の、暗号化のためのトークンおよび／または暗号化されたトークンの送信はサーバーに関連付けられたサービスへのアクセスを要求するデバイスを介して行われ、サービスへのアクセスは前記現ステップのユーザーの端末からのユーザーの識別情報の確認によって異なる、
端末とデバイス間の、暗号化のためのトークンおよび／または暗号化されたトークンの送信は短距離または有線通信によって行われ、端末は短距離または有線通信のためのモジュールを備え、デバイスは対応する短距離または有線通信のためのモジュールを備える、
サーバーから端末への、暗号化のためのトークンの送信は、モバイルネットワークを使用して行われ、端末からサーバーへの暗号化されたトークンの送信はサーバーに関連付けられたサービスへのアクセスを要求するデバイスを介して行われ、サービスへのアクセスは前記現ステップのユーザーの端末からのユーザーの識別情報の確認に応じて異なる、
サーバーから端末への、暗号化のためのトークンの送信は、サーバーに関連付けられたサービスへのアクセスを要求するデバイスを介して行われ、端末からサーバーへの暗号化されたトークンの送信は、モバイルネットワークを使用して行われ、サービスへのアクセスは前記現ステップのユーザーの端末からのユーザーの識別情報の確認に応じて異なる。
【０００７】
本発明はさらに、本発明による方法を実行するために少なくとも１つの端末および１つのサーバーを備え、ユーザーの識別情報を確認するためのシステムにも関する。
【０００８】
本発明の他の特徴および利点は、可能な一部の例示的実施形態を提示する次の詳細な説明から、さらに、添付図面を調べる際に明らかになるであろう。
【図面の簡単な説明】
【０００９】
【図１】端末宣言予備ステップの間に、本発明によるシステムで実行される主な動作を示す図である。
【図２】端末に基づき、識別情報確認現ステップの間に、本発明によるシステムで実行される主な動作を示す図である。
【発明を実施するための形態】
【００１０】
図１を参照すると、ユーザーは、国民識別カードＣＮＩ、ポイントカード、学生カード、または何らかの他のカードなどの物理的媒体をリーダーＬＥＣにより読み込まれるように提示している。この媒体ＣＮＩが本当の所有者（「ＭＲ  Ｘ」）により提示されていることを確認するために、ユーザーは、カードＣＮＩのためのリーダーＬＥＣに接続されたリーダーＢＩＯで指紋などの生体データを提示する。可能性のある１つの実施形態では、リーダーはカードＣＮＩからデータ（例えば、スキャンによって）を読み込み、データを生体データとともに、例えば、リモートサーバーに伝達する。このリモートサーバーで、カードＣＮＩからのデータと生体データが一致すること（妥当性確認テストＳ１３）が確認され、そのとおりの場合には、プロセスが継続できる。可能な別の実施形態では、生体データは、物理的媒体上に担持される特定のデータを保護するために使用されることができ、生体データはローカルで検証を行い（例えば、マッチオンカード方式を使用して）、次いで、保護されたデータの使用を許可する媒体に送信される。
【００１１】
この最初の動作の後、ステップＳ１０で、リーダーはユーザーの識別データの第１の部分Ｉｄ１をリモートサーバーＳＥＲに伝達することができる。この識別情報Ｉｄ１は、例えば、個人に関する行政の識別情報、または銀行の識別情報（カードＣＮＩがクレジットカードの場合）、あるいは他の何らかの識別情報とすることができる。識別データの第１の部分Ｉｄ１はさらに、リモートサーバーＳＥＲに送信されるデジタル証明書とすることもでき、これが、証明書の有効性を確認する（証明書の連鎖、取消状態、有効期限など）。
【００１２】
一実施形態では、リモートサーバーＳＥＲは、ステップＳ１１で、識別データの第１の部分Ｉｄ１に基づき、導出された識別情報Ｉｄ２を判定し（例えば、ハッシュ関数をデータＩｄ１に適用する）、この導出された識別情報Ｉｄ２に関するデータの第２の部分を提示されている例のリーダーＬＥＣに伝達する。一実施形態では、リーダーＬＥＣは、短距離通信（例えば、ＮＦＣ（近距離無線通信）モジュール）、Ｗｉｆｉまたはブルートゥース（登録商標）、あるいは有線（例えば、ＵＳＢケーブル）による通信のための手段を備えることができ、ステップＳ１２で、導出された識別情報Ｉｄ２に関するデータの第２の部分をユーザーによって選択された通信端末ＴＥＲに送信し、当然、端末ＴＥＲも短距離通信のためのモジュールが装備されている。代替として、導出された識別情報Ｉｄ２は、モバイルネットワークによってサーバーＳＥＲから直接、端末ＴＥＲに送信されることもできる。
【００１３】
別の実施形態では、導出された識別情報Ｉｄ２はデジタル証明書とすることができる。通信端末ＴＥＲの安全な要素はキーペア（すなわち、ペアにされた公開キー−秘密キー）をローカルで生成し、秘密キーは機密にされ、端末の安全な要素から抽出不可能である。そして、公開キーはキーペアの証明書を求める要求とともにリモートサーバーＳＥＲに伝達される。リモートサーバーＳＥＲは、認証された識別情報にリンクされた、すなわち、ユーザーの識別データの第１の部分Ｉｄ１にリンクされた証明書を生成する。次に、この証明書はキーペアとともに通信端末ＴＥＲに戻される。
【００１４】
より具体的には、ユーザー端末ＴＥＲは安全なメモリー（例えば、ＳＩＭ（加入者識別モジュール）カード、または通常、ＵＩＣＣ（Ｕｎｉｖｅｒｓａｌ  Ｉｎｔｅｇｒａｔｅｄ  Ｃｉｒｃｕｉｔ  Ｃａｒｄ（汎用ＩＣカード））モジュール、あるいは端末のいずれかの安全な要素）に導出された識別情報Ｉｄ２を保存する。このために、例えば、ＯＴＡ（無線通信を経由）などの方法を使用して、導出された識別情報Ｉｄ２を保存するために端末ＴＥＲにインストールされる「カードレット」などの、アプリケーションがサーバーからリーダーＬＥＣを介して端末に送信されることができる。
【００１５】
一実施形態によると、端末ＴＥＲは導出された識別情報のデータＩｄ２からキーまたはキーペアを生成することができ、これによって、図２を参照して以下で説明されるとおり、対称的暗号化（非対称暗号のためには非対称的）が、ユーザー識別情報の確認の際に、ユーザー端末ＴＥＲから後で生じることが可能になる。
【００１６】
別の実施形態によると、導出された識別情報Ｉｄ２が上述のようなデジタル証明書の場合、認証された識別情報のための証明書に関連付けられたキーペアは、図２を参照して説明されるように、ユーザー識別情報の確認の際に、ユーザー端末ＴＥＲから後で生じる暗号化のために使用される。
【００１７】
図２に示されている、例示的実施形態では、デバイス、例えば、コンピューターＰＣ、自動化サービス端末、または他の何らかのデバイスが、インターネットなどのネットワークを介してサービスプラットフォームと通信する。安全なサービスを提供する前に、このサービスに関連付けられたサーバーＳＥＲはユーザーの識別情報を確認する必要がある。したがって、使用されるのは、ユーザーの端末ＴＥＲからユーザーの識別情報を確認する前述のステップからなるものである。このため、図２を参照すると、ステップＳ２１で、サーバーＳＥＲはトークンＣ（すなわち、例えば、ドキュメントの乱数またはハッシュに対応することのできる「チャレンジ」）を例えば、デバイスＰＣに送信する。ステップＳ２３では、近距離無線通信ＮＦＣ（デバイスＰＣにはＮＦＣモジュールが装備されている）を使用して、トークンが端末ＴＥＲに送信され、端末は、このトークンに署名するために、安全なメモリー（例えば、ＳＩＭカード）および暗号リソースに保存されたデータを利用する。システム化された手順が端末ＴＥＲに実装されることができることは利点となり、この手順は、端末に保存された暗号化キー(複数可)が署名の生成に使用される場合に、ユーザー固有のデータを確認することから構成される。例えば、ステップＳ２２で、マンマシンインターフェイスでは、ユーザーは個人コードを入力するか、所定の生体データ（指紋、虹彩など）を提供するように要求される場合がある。このやり方では、悪意のある第３者により端末ＴＥＲが不正に導出された場合、ステップＳ２３で署名が生成されることができず、当然、後続のどんなサービスもコンピューターＰＣまたはサービス端末に提供されることはできない。
【００１８】
ステップＳ２４で、署名済みＣ＊は、例えば、近距離無線通信によりコンピューターＰＣを介して、具体的には、ＮＦＣモジュールを介してサーバーＳＥＲに戻される。ステップＳ２５で、サーバーＳＥＲは、これ自体のキー(複数可)を使用し、当然、始動したトークンＣを使用してこの署名を確認する。署名の有効性には、証明書の有効性の標準的な確認を含めることができる（証明書の連鎖、取消状態、有効期限など）。さらに、ステップＳ２１で送信されたトークン、ステップＳ２４で戻された「応答」（すなわち、端末ＴＥＲの秘密キーによって署名されたトークン）、および証明書の存在する公開キーを認識し、妥当性確認サーバーは署名の有効性を確認することができる。
【００１９】
したがって、この署名は前記サービスに関して、ユーザーを識別するデジタル証明書に対応すると理解される。
【００２０】
図２を参照して説明された、ユーザーの識別情報を確認するステップは、二重チャネルとすることができ、つまり例えば、署名されるトークンＣ（ドキュメントのチャレンジまたはハッシュ）はモバイルネットワークによってサーバーＳＥＲから直接通信端末ＴＥＲに送信され、通信端末によって署名されることができ、次いで、署名されたトークンＣ＊はデバイス（コンピューターＰＣまたは自動化サービス端末）のＮＦＣインターフェイスを介してサーバーに戻されるということである。二重チャネル通信には、デバイス（コンピューターＰＣまたは自動化サービス端末）のＮＦＣインターフェイスを介して、サーバーＳＥＲから通信端末ＴＥＲへの、署名されるトークンＣの通信、およびモバイルネットワークを介して端末ＴＥＲからサーバーＳＥＲへの署名済みトークンＣ＊の直接返送通信も含めることができると理解される。
【００２１】
特定の一実施形態では、前記導出された識別情報Ｉｄ２は、例えば、カードＣＮＩの読み取りから送出する識別データの第１の部分Ｉｄ１に適用されるハッシュ関数から計算される。次に、端末ＴＥＲの安全なメモリーに保存された、少なくとも１つのキー（または公開および秘密キーの１つのペア）は、この導出された識別情報Ｉｄ２（例えば、非対称暗号化の場合には秘密キー）から計算されることができる。さらに、ユーザーの識別情報が端末によって確認されると、安全なサービスのためのセッションが確立されることができる。例えば、さらに、デバイスＰＣとサーバーＳＥＲに接続されたサービスプラットフォーム間の交換には、多様なキーが使用されることができる。
【００２２】
当然、本発明は、例示的な方法で上述された実施形態に限定されるわけではない。本発明は他の変形形態に拡張する。
【００２３】
例えば、近距離無線通信を使用したリーダーとの対話が上述された。変形形態として、端末宣言予備ステップと後続の識別情報確認ステップの両方に対して、例えば、セルラーネットワークを介して、端末ＴＥＲとサーバーＳＥＲ間の通信が直接確立されることが可能である。
【００２４】
その上、デバイスＰＣ（または通信端末としてのリーダーＬＥＣ）の使用が図２を参照して上述された。より単純な変形形態では、端末ＴＥＲはサービスにアクセスするために（または端末の初期登録のために）直接使用されることができ、チャレンジ（または登録）のための署名の確認は、中間デバイスを一切に入れずに、サーバーと端末間の直接通信によって行われる。しかし、通信デバイス（リーダー端末ＬＥＣ、コンピューターＰＣ、タブレット、またはテレビ）の使用は、使用の人間工学的な点を改善するインターフェイスを有利に提供する。
【００２５】
加えて、アプリケーションサーバーＳＥＲとの対話が上述された。代替として、ＣＭＳ（Ｃａｒｄ  Ｍａｎａｇｅｍｅｎｔ  Ｓｙｓｔｅｍ（カード管理システム））またはＴＳＭ（Ｔｒｕｓｔｅｄ  Ｓｅｒｖｉｃｅ  Ｍａｎａｇｅｍｅｎｔ（トラステッドサービスマネージメント））に基づくデバイスとの対話が同等なやり方で提供されることができる。
【００２６】
したがって、本発明は、進展（盗用、損失、否認など）が既に媒体ＣＮＩの元の発行者によって管理されることができ、関連権限の迅速かつ容易で安全である無記名の妥当性確認を可能にするための導出された識別情報を埋め込むために、通信対象に埋め込まれた１つ（または複数）の安全なコンポーネントの使用を提案するものである。
【００２７】
このため、計算が行われ、続いて、例えば、ローカルな交換（ＮＦＣ（近距離無線通信）を使用）による、通信対象のインターフェイス（しばしば、標準化されている）を介し、あるいは代替として、インターネット（ＷｉＦｉまたは他の接続により）を介して、またはおそらく、ソーシャルネットワーク（Ｆａｃｅｂｏｏｋ、ＬｉｎｋｅｄＩｎ、おそらくさらにｉＴｕｎｅｓ（Ｒ））のユーザーインターフェイスを介し、あるいはセルラーネットワーク（３Ｇ、ＬＴＥなど）を通じた通信によって、導出された識別情報の転送が行われる。安全メモリーのみにしか導出された識別情報を保存しないことが可能である。端末宣言予備ステップの実行と同じインターフェイスを使用して送信された外部要求の転送を処理するアプリケーションの通信対象に、記憶装置が提供されることができる。モバイル端末の宣言の前に、ユーザーデータのローカル認証が（例えば、導出された生体データによって）提供されることができることは利点となる。したがって、本発明は、各サービス固有のデジタル署名の作成とともに、該当するオンラインサービスまたは要求による暗号化動作のカスタマイズが可能である。本発明はさらに、サービス中に、トランザクションに関係する当事者との重要な情報の共有を防止する。
【００２８】
端末のペアリング、認証された識別情報、およびユーザーの妥当性確認は、２つか、３つの要因（認証された識別情報−何を有しているか、ＰＩＮコード−何を知っているか、生体データ−誰であるか、というデータ）に基づくものとされることができることは利点となる。認証された所持者の２つまたは３つの要因を使用して認証データの妥当性確認後、端末の初期登録が、行政発行の識別情報カードＣＮＩ、ポイントカード、学生カードなどを使用して行われることができる。このようなわけで、デジタル署名の生成へのバイオメトリクス／暗号化の導入はオプションではあるが、好適な実施形態である。次いで、本発明は、識別情報を共有することなく、リモートサーバーによる確認とともに無意味なデータの共有を可能にする。さらに、証明書および／またはデジタル署名の生成および通信も可能にすることにより、後の監査のためのオプションを提供し、特定の環境では不必要な署名されたアプリケーションの送出後に、カスタマイズを可能にする条件下でも同様なことが行われる。
【００２９】
したがって、カスタマイズは、セキュリティー製品（セキュリティープロセッサーを含むカードまたはシステム）とすることのできる最初の媒体ＣＮＩからの情報に基づき計算されるデータと認証された所持者間の単一のリンクの作成のために、所持者の最初の識別情報に基づき、高感度なアプリケーションに対して確保される。次に、所持者によって作成された（そして対象物では入手できない）データに基づく多様なアルゴリズムの生成のための条件の作成も利点である。
【図１】
2018038068.tif 000003
【図２】
2018038068.tif 000004
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
通信端末（ＴＥＲ）のユーザーの識別情報を確認するための方法であって、該方法が予備ステップと識別情報確認のための現ステップとを含み、
＊予備ステップが、
リーダーから少なくとも１つのサーバー（ＳＥＲ）に、ユーザーの識別データの第１の部分（Ｉｄ１）を伝達すること（Ｓ１０）、
サーバーで、ユーザーの識別データの第２の部分（Ｉｄ２）を生成し（Ｓ１１）、識別データの第２の部分がユーザーの導出された識別情報を定義すること、
サーバーからリーダーに、次に、リーダーから端末に、識別データの第２の部分を送信すること、
端末の安全なメモリー（ＳＩＭ）に識別データの第２の部分（Ｉｄ２）の保存（Ｓ１２）を含み、
＊識別情報確認のための現ステップが、
サーバーから端末へ、暗号化のためのトークン（Ｃ）を送信すること（Ｓ２１）、
少なくともトークンの暗号化を生成（Ｓ２３）するために、端末で識別データの第２の部分を使用し、暗号化されたトークン（Ｃ＊）がサーバーに送信され、サーバーによって確認されること（Ｓ２５）、
サーバーによって暗号化されたトークンが肯定的に確認される場合、サーバーが端末のユーザーの識別情報の確認を有効にすることを含み、
複数のサーバーへのユーザーの識別データの第１の部分の複数の通信を含む、複数の予備ステップが提供され、各サーバーがユーザーの識別データのそれぞれ第２の部分を生成し、識別データの各第２の部分がユーザーの導出された識別情報を定義し、各導出された識別情報が、アクセスがサービスに専用のサーバーでの暗号化されたトークンの確認に応じて異なる前記サービスに固有のものである、方法。
【請求項２】
暗号化が公開キー基盤を使用し、暗号化キーを生成するために識別データの第２の部分（Ｉｄ２）が少なくとも使用される、請求項１に記載の方法。
【請求項３】
識別データの第２の部分（Ｉｄ２）が端末による暗号化を証明するデジタル証明書である、請求項１に記載の方法。
【請求項４】
肯定的に確認される場合、暗号化されたトークンがユーザーのデジタル識別証明書と関連付けられる、請求項３に記載の方法。
【請求項５】
サーバーへのユーザーの識別データの第１の部分（Ｉｄ１）の前記通信が端末のユーザーの生体データの確認（Ｓ１３）後に許可される、請求項１から４のいずれか一項に記載の方法。
【請求項６】
現ステップが、端末でトークンの暗号化のための識別データの第２の部分の使用を開始する前に、ユーザー固有のデータの確認（Ｓ２２）を含む、請求項１から５のいずれか一項に記載の方法。
【請求項７】
サーバー（ＳＥＲ）への識別データの第１の部分（Ｉｄ１）の通信が短距離（ＮＦＣ）または有線通信のためのモジュールを備えるリーダー（ＬＥＣ）を介して実行され、端末が、対応する短距離または有線通信のためのモジュールを備え、識別データの第２の部分（Ｉｄ２）が、短距離または有線通信によって、サーバーからリーダーに送信され、次いで、リーダーから端末に送信される、請求項１から６のいずれか一項に記載の方法。
【請求項８】
サーバーと端末間の、暗号化のためのトークン（Ｃ）および／または暗号化されたトークン（Ｃ＊）の送信がサーバー（ＳＥＲ）に関連付けられたサービスへのアクセスを要求するデバイス（ＰＣ）を介して行われ、サービスへのアクセスが前記現ステップのユーザーの端末からのユーザーの識別情報の確認によって異なる、請求項１から７のいずれか一項に記載の方法。
【請求項９】
端末（ＴＥＲ）とデバイス（ＰＣ）間の、暗号化のためのトークン（Ｃ）および／または暗号化されたトークン（Ｃ＊）の送信が短距離（ＮＦＣ）または有線通信によって行われ、端末（ＴＥＲ）が短距離（ＮＦＣ）または有線通信のためのモジュールを備え、デバイス（ＰＣ）が対応する短距離または有線通信のためのモジュールを備える、請求項８に記載の方法。
【請求項１０】
サーバー（ＳＥＲ）から端末（ＴＥＲ）への、暗号化のためのトークン（Ｃ）の送信が、モバイルネットワークを使用して行われ、端末からサーバーへの暗号化されたトークン（Ｃ＊）の送信がサーバー（ＳＥＲ）に関連付けられたサービスへのアクセスを要求するデバイス（ＰＣ）を介して行われ、サービスへのアクセスが前記現ステップのユーザーの端末からのユーザーの識別情報の確認に応じて異なる、請求項１から７のいずれか一項に記載の方法。
【請求項１１】
サーバー（ＳＥＲ）から端末（ＴＥＲ）への、暗号化のためのトークン（Ｃ）の送信が、サーバー（ＳＥＲ）に関連付けられたサービスへのアクセスを要求するデバイス（ＰＣ）を介して行われ、端末からサーバーへの暗号化されたトークン（Ｃ＊）の送信が、モバイルネットワークを使用して行われ、サービスへのアクセスが前記現ステップのユーザーの端末からのユーザーの識別情報の確認に応じて異なる、請求項１から７のいずれか一項に記載の方法。
【請求項１２】
請求項１から１１のいずれか一項に記載の方法を実行するために、少なくとも端末（ＴＥＲ）と、リーダーと、サーバー（ＳＥＲ）とを備える、ユーザーの識別情報を確認するためのシステム。